(57)【要約】【課題】操作レバーが解錠方向へ不正操作されない開閉体のロック装置を得、防犯性を向上させる。【解決手段】開閉体のロック装置１００において、開口枠１１に、直動自在に設けられたスライダと、開口枠１１に、第１支持軸を中心に揺動自在に固定された操作レバー２７と、操作レバー２７の揺動端に設けられ操作レバー２７の揺動にスライダを従動させて直動させる連結軸と、第２支持軸を介して開口枠１１に揺動自在に設けられ揺動端に設けられたセグメントギアをスライダのラックに噛合してスライダの直動に従動し開口枠１１に設けられた開閉体１３のストライク穴に係止又は係止解除可能なカマ状デッドボルト２５とを具備し、操作レバー２７の施錠端への揺動で第１支持軸と連結軸とが直動方向に沿う直線上に配置されるよう構成した。【選択図】      図１
2008303614.tif 000002
【特許請求の範囲】
【請求項１】
開口枠に、該開口枠の長手方向に沿って直動自在に設けられたスライダと、
前記開口枠に、第１支持軸を中心に施錠端又は解錠端の範囲で揺動自在に固定された操作レバーと、
該操作レバーの揺動端に前記第１支持軸と同方向で設けられるとともに、前記スライダに形成された前記直動方向に略直交する方向に長い長穴に係合して該操作レバーの揺動に前記スライダを従動させて直動させる連結軸と、
前記スライダの前記直動方向に直交する方向の第２支持軸を介して前記開口枠に揺動自在に設けられ揺動端に設けられたセグメントギアを前記スライダのラックに噛合して該スライダの直動に従動し前記開口枠に設けられた開閉体のストライク穴に係止又は係止解除可能なカマ状デッドボルトと、
を具備し、
前記操作レバーの前記施錠端への揺動で前記第１支持軸と前記連結軸とが前記直動方向に沿う直線上に配置されることを特徴とする開閉体のロック装置。
【請求項２】
前記操作レバーが、台座を介して前記開口枠に揺動自在に設けられ、
該台座には、前記操作レバーの解錠端への揺動で隠される施錠印が設けられたことを特徴とする請求項１記載の開閉体のロック装置。
【発明の詳細な説明】
【技術分野】
【０００１】
本発明は、開閉体のロック装置に関する。
【背景技術】
【０００２】
例えばサッシ等の開口枠に設けられる開閉体の一つに、窓の一端が開口枠に沿って動き、他端が外へ突出する所謂すべり出窓（sliding out window）がある。このすべり出窓にも支持軸が上下方向の竪すべり出窓と、支持軸が横方向の横すべり出窓とがある。すべり出窓は、窓が外部へすべり出しながら開くので、内部から外部側のガラス清掃が容易となる。この種のすべり出窓では、窓の軽量化のために框の断面を小さくすることが望ましく、同時に、ロック装置本体も窓側ではなく、開口枠側に設けられることが望ましい。
【０００３】
したがって、従来のすべり出窓に用いられるロック装置は、開口枠側にロック装置本体を設け、ロック装置本体から回転しながら突出するカマ状デッドボルト（カマデッド）の先端が、窓の框に穿設した係止穴（ストライク穴）に、框の長手方向から弧状の軌跡を描いて進入し、ストライク穴裏縁に回り込んで掛止する簡易的なロック構造が一般的であった（例えば特許文献１参照）。
【０００４】
ここで、従来のロック装置本体は、例えば開口枠にスライド自在に設けられてラックを有する操作スライダと、支持軸を中心に揺動自在となって開口枠に設けられ支持軸を挟んでカマ部の反対側に上記のラックと噛合するセグメントギアを有したカマデッドとから構成され、操作スライダをスライド操作することにより、ラックと噛合するセグメントギアを介してカマデッドを進退させ、窓に設けた係止穴への施解錠を可能とした。また、操作レバーの回動軸と同軸にピニオンを固設し、このピニオンを上記のセグメントギアに噛合し、操作レバーを回動操作することにより、カマデッドを進退させ、施解錠を可能とするものもあった。
【特許文献１】特開２００５−２７３２２３号公報
【発明の開示】
【発明が解決しようとする課題】
【０００５】
しかしながら、上記した従来の開閉体のロック装置は、操作スライダをスライド操作することにより、ラックと噛合するセグメントギアを介してカマデッドを進退させ、カマデッドと窓係止穴との施解錠を可能とする簡易的なロック構造であったため、施錠時に、開口枠と開閉体との隙間に針金等を差し入れ、カマデッドを解錠方向へ回転（逆回転）させようとすると、カマデッドのセグメントギアに噛合したラックを介して操作スライダが解錠方向へ戻され、その結果、カマデッドの係止が外されて不正解錠可能となる虞があった。
【０００６】
また、このような不正解錠は、操作レバーの回動軸と同軸に固設したピニオンをセグメントギアに噛合させる開閉体のロック装置においても同様に発生する虞があった。
【０００７】
本発明は上記状況に鑑みてなされたもので、操作レバーが施錠状態から解錠方向へ不正操作されない開閉体のロック装置を提供し、もって、防犯性の向上を図ることを目的とする。
【課題を解決するための手段】
【０００８】
次に、上記の課題を解決するための手段を、実施の形態に対応する図面を参照して説明する。
本発明の請求項１記載の開閉体のロック装置は、開口枠１１に、該開口枠１１の長手方向に沿って直動自在に設けられたスライダ４１と、
前記開口枠１１に、第１支持軸３３を中心に施錠端又は解錠端の範囲で揺動自在に固定された操作レバー２７と、
該操作レバー２７の揺動端に前記第１支持軸３３と同方向で設けられるとともに、前記スライダ４１に形成された前記直動方向に略直交する方向に長い長穴４１ａに係合して該操作レバー２７の揺動に前記スライダ４１を従動させて直動させる連結軸４９と、
前記スライダ４１の前記直動方向に直交する方向の第２支持軸４７を介して前記開口枠１１に揺動自在に設けられ揺動端に設けられたセグメントギア２５ｃを前記スライダ４１のラック４１ｃに噛合して該スライダ４１の直動に従動し前記開口枠１１に設けられた開閉体１３のストライク穴５１ａに係止又は係止解除可能なカマ状デッドボルト２５と、
を具備し、
前記操作レバー２７の前記施錠端への揺動で前記第１支持軸３３と前記連結軸４９とが前記直動方向に沿う直線６１上に配置されることを特徴とする。
【０００９】
この開閉体のロック装置では、施錠時に、開口枠１１と開閉体１３との隙間に針金等を差し入れて、カマ状デッドボルト２５を解錠方向へ回転させようとしても、スライダ４１と操作レバー２７とを連結する連結軸４９が、第１支持軸３３の軸芯に向かって押圧されることとなり、操作レバー２７が解錠方向へ戻されることがない。すなわち、カマ状デッドボルト２５を回転させることが不可能となる。
【００１０】
請求項２記載の開閉体のロック装置は、前記操作レバー２７が、台座２４を介して前記開口枠１１に揺動自在に設けられ、
該台座２４には、前記操作レバー２７の解錠端への揺動で隠される施錠印６３が設けられたことを特徴とする。
【００１１】
この開閉体のロック装置では、操作レバー２７が解錠端へ揺動されると、施錠印６３が隠され、施錠印６３が視認されなくなる一方、操作レバー２７が施錠端へ揺動されると、施錠印６３が現れて視認可能となり、施錠状態となっていることの確認が容易となる。
【発明の効果】
【００１２】
本発明に係る請求項１記載の開閉体のロック装置によれば、開口枠に、直動自在に設けられたスライダと、揺動自在な操作レバーと、操作レバーの揺動にスライダを従動させる連結軸と、スライダの直動に従動し開閉体のストライク穴に係止又は係止解除可能なカマ状デッドボルトとを具備し、操作レバーの施錠端への揺動で第１支持軸と連結軸とが直動方向に沿う直線上に配置されるよう構成したので、施錠時に、開口枠と開閉体との隙間に針金等を差し入れて、カマ状デッドボルトを解錠方向へ回転させようとしても、スライダと操作レバーとを連結する連結軸が、第１支持軸の軸芯に向かって押圧することとなり、操作レバーが解錠方向へ戻されることがない。つまり、操作側のみでしかカマ状デッドボルトが解除されない。この結果、カマ状デッドボルトの係止を解除する方向への不正操作を阻止し、防犯性を向上させることができる。
【００１３】
請求項２記載の開閉体のロック装置によれば、操作レバーが、台座を介して開口枠に揺動自在に設けられ、台座には、操作レバーの解錠端への揺動で隠される施錠印が設けられたので、操作レバーの解錠時には施錠印が隠れるとともに、施錠時には施錠印が現れ、施解錠状態の良好な視認性を簡単な手段によって安価に実現することができる。
【発明を実施するための最良の形態】
【００１４】
以下、本発明に係る開閉体のロック装置の好適な実施の形態を図面を参照して詳細に説明する。
図１は本発明に係る開閉体のロック装置が設けられたすべり出窓の斜視図である。
本実施の形態による開閉体のロック装置１００は、開閉体である例えばすべり出窓１３に好適に用いることができる。この他、ロック装置１００の適用される開閉体は、扉、引戸等であっても勿論よい。すべり出窓１３は、一端が開口枠１１に沿って動き、他端が外へ突出する。本実施の形態によるすべり出窓１３は、支持ステー１７が上下方向の支軸１９を介して開口枠１１の下枠１５に支持された竪すべり出窓となっている。
【００１５】
ロック装置１００は、すべり出窓１３を支持する開口枠１１の例えば縦枠２１に設けられる。ロック装置１００は、縦枠２１に設けられた台座２４の操作レバー２７を上下に揺動操作することで、縦枠２１に形成した切欠部２３から進退するカマ状デッドボルト（カマデッド）２５を、後述するすべり出窓１３に設けたストライク穴に係止／係止解除し、すべり出窓１３を開口枠１１に対して施錠／施錠解除可能としている。
【００１６】
図２は図１に示したロック装置の斜視図である。
ロック装置１００は、開口枠１１に、縦枠２１の延在方向に沿う直線方向（図２の上下方向）に往復移動（直動）自在に設けられるスライダ４１と、スライダ４１を直動自在に開口枠１１へ取り付けるケースＡ３７及びケースＢ３９と、開口枠１１に、揺動自在に固定される操作レバー２７と、操作レバー２７を縦枠２１に支持する台座２４と、スライダ４１と操作レバー２７とを連結する連結軸４９と、カマデッド２５とを主要な構成部材として有している。
【００１７】
図３は図２に示したロック装置の分解斜視図、図４は図２に示したロック装置の側面図、図５はロック装置とすべり出窓との係止部を表した正面図、図６は図４のＡ−Ａ断面図、図７は図４のＢ−Ｂ断面図である。
スライダ４１の下部には直動方向に略直交する方向で且つ窓面に略垂直な方向に長い長穴４１ａが形成され、長穴４１ａは連結軸４９と係合する。スライダ４１の上部４１ｂには噛合手段であるラック４１ｃが形成され、ラック４１ｃはカマデッド２５の後述するセグメントギア２５ｃと噛合する。噛合手段は、歯状の突起、凹部、或いは図例のようなセグメントギア２５ｃの進入する孔列であってもよい。
【００１８】
台座２４には取付板３１が取付孔３１ｃ，３１ｃに挿通されるビス３５，３５によって固定され、取付板３１は支持穴３１ｂの穿設された支持板部３１ａを有している。台座２４にはスリット部２４ａが穿設され、スリット部２４ａは操作レバー２７の揺動端２７ｄを挿通する。揺動端２７ｄには大径穴２７ｂと小径孔２７ｃが穿設される。操作レバー２７は、スリット部２４ａに挿通された揺動端２７ｄの大径穴２７ｂに、支持穴３１ｂに挿通された第１支持軸３３が挿通されることで、取付板３１、台座２４を介して縦枠２１に揺動自在に固定される。すなわち、操作レバー２７は、第１支持軸３３を中心に摘み部２７ａが施錠端又は解錠端の範囲で揺動自在に固定される。この操作レバー２７の小径孔２７ｃには連結軸４９が挿通される。
【００１９】
スライダ４１は、ケースＡ３７とケースＢ３９とに直動自在に挟持される。ケースＡ３７の側板部３７ｃには上下一対の穴３７ｄ，３７ｄが穿設され、ケースＢ３９には穴３７ｄ，３７ｄに対向して上下一対の穴３９ａ，３９ａが穿設される。ケースＡ３７とケースＢ３９とは、上部の穴３７ｄと穴３９ａとに両端が支持される支柱４５によって、図２に示すスライダ４１の直動する間隙ｓを形成している。また、下部の穴３７ｄと穴３９ａとにはスライダ４１の直動方向に直交する方向の第２支持軸４７が支持され、第２支持軸４７はカマデッド２５の支持穴２５ｂに挿通されてカマデッド２５を揺動自在に支持する。
【００２０】
カマデッド２５には第２支持軸４７を挟んで係止先端部２５ａの反対側にセグメントギア２５ｃが形成され、カマデッド２５は第２支持軸４７に支持された状態でセグメントギア２５ｃをスライダ４１のラック４１ｃに噛合している。ケースＡ３７には側板部３７ｃと垂直に折曲されるガイド板３７ｅが形成され、ガイド板３７ｅは図５に示すように、スライダ４１の浮上を規制する。ケースＡ３７及びケースＢ３９は、ケースＡ３７の上下の鍔部３７ａ，３７ａに穿設された固定孔３７ｂ，３７ｂに、ビス４３，４３が挿通されて縦枠２１に固定される。
【００２１】
連結軸４９は、図４、図６に示すように、操作レバー２７の揺動端２７ｄに、第１支持軸３３と同方向で設けられるとともに、スライダ４１に形成された長穴４１ａに係合する。したがって、連結軸４９は、操作レバー２７の揺動にスライダ４１を従動させて略垂直方向に直動させる。
【００２２】
カマデッド２５は、図５に示すように、スライダ４１直動方向に直交する方向の第２支持軸４７を介して開口枠１１に揺動自在に設けられ、揺動端に設けられたセグメントギア２５ｃをスライダ４１のラック４１ｃに噛合する。これにより、スライダ４１の直動に従動し、すべり出窓１３に固定された図５，図７に示すストライク板５１のストライク穴５１ａに係止又は係止解除可能となる。なお、図５中、１３ａはすべり出窓１３に穿設されたカマデッド２５の受入口、５３はストライク板５１の固定ビス、３９ｂはケースＢ３９に折曲形成されたスライダ支持台部（図７参照）を示す。また、図６，図７中、５５は網戸を示す。
【００２３】
そして、図４に示すように、操作レバー２７の施錠端への揺動で、第１支持軸３３と連結軸４９とは、直動方向に沿う直線６１（図１０参照）上に配置されることとなる。後に詳述するように、この第１支持軸３３と連結軸４９との位置関係により、カマデッド２５に加えられる逆回転力の入力によっては、操作レバー２７が解錠方向へ戻されないようになっている。
【００２４】
台座２４には、操作レバー２７の解錠端への揺動で隠される施錠印６３が設けられている。施錠印６３を付した台座２４では、操作レバー２７が解錠端へ揺動されると、施錠印６３が隠され、施錠印６３が視認されなくなる一方、操作レバー２７が施錠端へ揺動されると、施錠印６３が現れて視認可能となり、施錠状態となっていることの確認が容易となる。これにより、施解錠状態の良好な視認性を簡単な手段によって安価に実現することができる。この施錠印６３は、例えば蓄光素材、蛍光素材などで構成し、台座２４に対して目立つ色とすることで容易に目視、判別が可能となる。
【００２５】
次に、上記のように構成されたロック装置の作用を説明する。
図８は解錠時における操作レバー近傍の側面視を（ａ）、カマデッド近傍の正面視を（ｂ）で表した動作説明図、図９は施錠時における操作レバー近傍の側面視を（ａ）、カマデッド近傍の正面視を（ｂ）で表した動作説明図、図１０は不正外力の印加方向と連結軸・第１支持軸の位置関係とを模式的に表した作用説明図である。
図８に示すように、ロック装置１００は、解錠状態において、操作レバー２７が上方（解錠端）へ揺動され、連結軸４９を介してスライダ４１が下方へ移動され、その結果、ラック４１ｃに噛合したセグメントギア２５ｃにより、カマデッド２５が縦枠２１内に収容されている。また、この状態では、施錠印６３が操作レバー２７によって覆われている。つまり、すべり出窓１３は、解錠状態となり、開閉自在となっている（図１参照）。
【００２６】
一方、施錠操作により、操作レバー２７が下方（施錠端）へ揺動されると、連結軸４９を介してスライダ４１が上方へ移動され、その結果、ラック４１ｃに噛合したセグメントギア２５ｃにより、カマデッド２５が縦枠２１内から弧状の軌跡を描いて突出し、すべり出窓１３に設けられたストライク板５１のストライク穴５１ａに係止する。また、この状態では、施錠印６３が表出し、施錠状態であることが表示される。つまり、すべり出窓１３は、施錠状態となり、開閉が規制される。
【００２７】
この施錠状態では、開口枠１１とすべり出窓１３との隙間に針金等を差し入れて、図１０中矢印ａ方向の不正な操作力を加えてカマデッド２５を解錠方向へ回転させようとしても、図１０に示すように、第１支持軸３３と連結軸４９とが直動方向に沿う直線６１上に配置されているので、スライダ４１と操作レバー２７とを連結する連結軸４９が、第１支持軸３３の軸芯に向かう矢印ｂで押圧されることとなり、操作レバー２７が解錠方向へ戻されることがない。なお、本実施の形態では、連結軸４９が第１支持軸３３の軸芯を通る直線６１上に配置されるが、連結軸４９が直線６１より図１０の右側に若干偏芯して配置される構成とすれば、操作レバー２７に対して解錠の方向とは反対方向に回転力が発生することとなりより確実に不正な逆回転力の入力による操作レバー２７の戻しを阻止することができる。
【００２８】
したがって、上記した開閉体のロック装置１００によれば、開口枠１１に、直動自在に設けられたスライダ４１と、揺動自在な操作レバー２７と、操作レバー２７の揺動にスライダ４１を従動させる連結軸４９と、スライダ４１の直動に従動しすべり出窓１３のストライク穴５１ａに係止又は係止解除可能なカマデッド２５とを具備し、操作レバー２７の施錠端への揺動で第１支持軸３３と連結軸４９とが直動方向に沿う直線６１上に配置されるよう構成したので、施錠時に、開口枠１１とすべり出窓１３との隙間に針金等を差し入れて、カマデッド２５を解錠方向へ回転させようとしても、スライダ４１と操作レバー２７とを連結する連結軸４９が、第１支持軸３３の軸芯に向かって押圧することとなり、操作レバー２７が解錠方向へ戻されることがない。つまり、操作側のみでしかカマデッド２５が解除されない。この結果、カマデッド２５の係止を解除する方向への不正操作を阻止し、防犯性を向上させることができる。
【図面の簡単な説明】
【００２９】
【図１】本発明に係る開閉体のロック装置が設けられたすべり出窓の斜視図である。
【図２】図１に示したロック装置の斜視図である。
【図３】図２に示したロック装置の分解斜視図である。
【図４】図２に示したロック装置の側面図である。
【図５】ロック装置とすべり出窓との係止部を表した正面図である。
【図６】図４のＡ−Ａ断面図である。
【図７】図４のＢ−Ｂ断面図である。
【図８】解錠時における操作レバー近傍の側面視を（ａ）、カマデッド近傍の正面視を（ｂ）で表した動作説明図である。
【図９】施錠時における操作レバー近傍の側面視を（ａ）、カマデッド近傍の正面視を（ｂ）で表した動作説明図である。
【図１０】不正外力の印加方向と連結軸・第１支持軸の位置関係とを模式的に表した作用説明図である。
【符号の説明】
【００３０】
１１…開口枠
１３…開閉体（すべり出窓）
２４…台座
２５…カマ状デッドボルト（カマデッド）
２５ｃ…セグメントギア
２７…操作レバー
３３…第１支持軸
４１…スライダ
４１ａ…長穴
４１ｃ…ラック
４７…第２支持軸
４９…連結軸
５１ａ…ストライク穴
６１…直動方向に沿う直線
６３…施錠印
１００…開閉体のロック装置
【図１】
2008303614.tif 000003
【図２】
2008303614.tif 000004
【図３】
2008303614.tif 000005
【図４】
2008303614.tif 000006
【図５】
2008303614.tif 000007
【図６】
2008303614.tif 000008
【図７】
2008303614.tif 000009
【図８】
2008303614.tif 000010
【図９】
2008303614.tif 000011
【図１０】
2008303614.tif 000012